(57)【要約】【課題】高燃料利用率・低負荷運転により出力電圧が低下したセルの出力電圧を回復させる。【解決手段】ＳＯＦＣ発電システムは、複数の発電モジュール１と、発電モジュール１の出力電圧を発電モジュール１毎に測定する電圧測定器１４と、発電モジュール１の出力端子と後段の負荷Ｒとの間を発電モジュール１毎に接続または遮断するスイッチ１５と、燃料ガスの流量を制御する供給用バルブ１６と、複数の発電モジュール１のうち少なくとも１台の発電モジュール１の出力電圧が所定の閾値以下になったときに、スイッチ１５を制御して、出力電圧が閾値以下となった発電モジュール１の出力端子を負荷Ｒから切り離すと共に、供給用バルブ１６を制御して、出力電圧が閾値以下となった発電モジュール１の燃料極と接する燃料ガス流路に燃料ガスを満たす制御部１７とを備える。【選択図】  図１
2013026179.tif 000002
【特許請求の範囲】
【請求項１】
固体酸化物形燃料電池（ＳＯＦＣ）セルを一枚又は複数枚用いたＳＯＦＣスタックを有する発電モジュールと、
この発電モジュールに燃料ガスを供給する燃料供給手段と、
前記発電モジュールの出力電圧を測定する電圧測定手段と、
前記発電モジュールの出力端子と後段の負荷との間を接続または遮断する切替手段と、
前記発電モジュールの出力電圧が所定の閾値以下になったときに、前記切替手段を制御して前記発電モジュールの出力端子を前記負荷から切り離すと共に、前記燃料供給手段を制御して前記発電モジュールの燃料極と接する燃料ガス流路に燃料ガスを満たす制御手段とを備えることを特徴とするＳＯＦＣ発電システム。
【請求項２】
固体酸化物形燃料電池（ＳＯＦＣ）セルを一枚又は複数枚用いたＳＯＦＣスタックをそれぞれ有する複数の発電モジュールと、
各発電モジュールに燃料ガスを供給する燃料供給手段と、
前記発電モジュールの出力電圧を発電モジュール毎に測定する電圧測定手段と、
前記発電モジュールの出力端子と後段の負荷との間を発電モジュール毎に接続または遮断する切替手段と、
前記複数の発電モジュールのうち少なくとも１台の発電モジュールの出力電圧が所定の閾値以下になったときに、前記切替手段を制御して、前記出力電圧が閾値以下となった発電モジュールの出力端子を前記負荷から切り離すと共に、前記燃料供給手段を制御して、前記出力電圧が閾値以下となった発電モジュールの燃料極と接する燃料ガス流路に燃料ガスを満たす制御手段とを備えることを特徴とするＳＯＦＣ発電システム。
【請求項３】
請求項１または２記載のＳＯＦＣ発電システムにおいて、
前記制御手段は、前記発電モジュールの出力電圧が所定の閾値以下になったときに、前記燃料供給手段を制御して、この発電モジュールへの水素の流量を通常時の発電に必要な量よりも少なくすることを特徴とするＳＯＦＣ発電システム。
【請求項４】
請求項１または２記載のＳＯＦＣ発電システムにおいて、
さらに、前記発電モジュールで発電に利用された燃料ガスを排出する燃料排出手段を備え、
前記制御手段は、前記発電モジュールの出力電圧が所定の閾値以下になったときに、前記燃料供給手段と前記燃料排出手段とを制御して、この発電モジュールの燃料極と接する燃料ガス流路内に燃料ガスを密封することを特徴とするＳＯＦＣ発電システム。
【請求項５】
請求項３記載のＳＯＦＣ発電システムにおいて、
さらに、前記発電モジュールで発電に利用された燃料ガスを排出する燃料排出手段を備え、
前記制御手段は、前記発電モジュールの出力電圧が所定の閾値以下になったときに、前記燃料供給手段と前記燃料排出手段とを制御して、この発電モジュールの燃料ガスの出口から燃料ガスの入口へ燃料ガスを循環させることを特徴とするＳＯＦＣ発電システム。
【請求項６】
請求項１乃至５のいずれか１項に記載のＳＯＦＣ発電システムにおいて、
前記閾値は、単セルあたり０．２Ｖであることを特徴とするＳＯＦＣ発電システム。
【請求項７】
固体酸化物形燃料電池（ＳＯＦＣ）セルを一枚又は複数枚用いたＳＯＦＣスタックを有する発電モジュールの出力電圧を測定する電圧測定ステップと、
前記発電モジュールの出力電圧が所定の閾値以下になったときに、前記発電モジュールの出力端子を後段の負荷から切り離すと共に、前記発電モジュールの燃料極と接する燃料ガス流路に燃料ガスを満たす出力電圧回復ステップとを備えることを特徴とするＳＯＦＣ発電システムの出力電圧回復方法。
【請求項８】
固体酸化物形燃料電池（ＳＯＦＣ）セルを一枚又は複数枚用いたＳＯＦＣスタックをそれぞれ有する複数の発電モジュールの出力電圧を発電モジュール毎に測定する電圧測定ステップと、
前記複数の発電モジュールのうち少なくとも１台の発電モジュールの出力電圧が所定の閾値以下になったときに、この出力電圧が閾値以下となった発電モジュールの出力端子を後段の負荷から切り離すと共に、前記出力電圧が閾値以下となった発電モジュールの燃料極と接する燃料ガス流路に燃料ガスを満たす出力電圧回復ステップとを備えることを特徴とするＳＯＦＣ発電システムの出力電圧回復方法。
【発明の詳細な説明】
【技術分野】
【０００１】
本発明は、固体酸化物形燃料電池を用いた発電システムの運転方法に関するもので、特に燃料電池の出力電圧が発電時に低下した際に、その出力電圧を回復させる技術に関するものである。
【背景技術】
【０００２】
新しい分散電源のひとつとして注目されている固体酸化物形燃料電池（Solid Oxide Fuel Cell、以下ＳＯＦＣ）による発電は、他の発電方法と比べて発電容量にかかわらず高効率・低ＣＯ2排出量で発電できる点が特長となっており、高温の排熱による良質な温水の供給能力と併せて、様々な分野における分散発電装置として注目されている。現在開発が進められている何種類かの形態のＳＯＦＣの中で、平板型ＳＯＦＣは、平板状の燃料極と電解質と空気極とによってセルが構成され、セルの燃料極側に還元性の燃料ガスを供給し、空気極側に酸素や空気を供給することにより発電を行うものである。平板型ＳＯＦＣは、平板状の燃料電池セルを積層してスタックを形成することが可能であるため、スタック内部に無駄な空隙が少なく、スタックの小型化・高エネルギー密度化が可能である（非特許文献１参照）。
【先行技術文献】
【非特許文献】
【０００３】
【非特許文献１】H.Arai，et al.，“3kW SOFC Power Generation Module Developed by NTT/THG/SPP”，ECS Transactions，25(2)，pp.125-132，2009
【発明の概要】
【発明が解決しようとする課題】
【０００４】
しかし、従来の平板型ＳＯＦＣでは、燃料ガスの高利用率を維持したままで低負荷運転を継続すると、出力電圧が次第に低下し、最終的にＳＯＦＣが機能しなくなるという問題があった。特に大きなＳＯＦＣセルを用いたシステムで小さな電力を得ようとする場合にこの問題が顕著であった。このような問題は、限られた厚さの燃料ガス流路を経由して平板型セルの燃料極側全面に燃料ガスを供給するため、電極反応による燃料ガスの消費と反応ガスの生成とに伴って、燃料ガス中の還元性ガス濃度が流路の入口から出口方向に流れるに連れて低下し、流路の出口近傍では十分な燃料ガス濃度が確保できないために起こると考えられる。
【０００５】
流路の出口付近でも十分な燃料ガス濃度が確保されるように、発電に必要な量より多くの燃料ガスを供給すれば、出力電圧低下は発生しないが、セルに供給される燃料ガスの一部が排ガス中に未反応のまま排出されることになり、燃料利用率の低下を招くことになる。
【０００６】
本発明は、上記課題を解決するためになされたもので、高燃料利用率・低負荷運転により出力電圧が低下したＳＯＦＣセルの出力電圧を回復させることができるシステムおよび出力電圧回復方法を提供することを目的とする。
【課題を解決するための手段】
【０００７】
本発明のＳＯＦＣ発電システムは、固体酸化物形燃料電池（ＳＯＦＣ）セルを一枚又は複数枚用いたＳＯＦＣスタックを有する発電モジュールと、この発電モジュールに燃料ガスを供給する燃料供給手段と、前記発電モジュールの出力電圧を測定する電圧測定手段と、前記発電モジュールの出力端子と後段の負荷との間を接続または遮断する切替手段と、前記発電モジュールの出力電圧が所定の閾値以下になったときに、前記切替手段を制御して前記発電モジュールの出力端子を前記負荷から切り離すと共に、前記燃料供給手段を制御して前記発電モジュールの燃料極と接する燃料ガス流路に燃料ガスを満たす制御手段とを備えることを特徴とするものである。
【０００８】
また、本発明のＳＯＦＣ発電システムは、固体酸化物形燃料電池（ＳＯＦＣ）セルを一枚又は複数枚用いたＳＯＦＣスタックをそれぞれ有する複数の発電モジュールと、各発電モジュールに燃料ガスを供給する燃料供給手段と、前記発電モジュールの出力電圧を発電モジュール毎に測定する電圧測定手段と、前記発電モジュールの出力端子と後段の負荷との間を発電モジュール毎に接続または遮断する切替手段と、前記複数の発電モジュールのうち少なくとも１台の発電モジュールの出力電圧が所定の閾値以下になったときに、前記切替手段を制御して、前記出力電圧が閾値以下となった発電モジュールの出力端子を前記負荷から切り離すと共に、前記燃料供給手段を制御して、前記出力電圧が閾値以下となった発電モジュールの燃料極と接する燃料ガス流路に燃料ガスを満たす制御手段とを備えることを特徴とするものである。
【０００９】
また、本発明のＳＯＦＣ発電システムの１構成例において、前記制御手段は、前記発電モジュールの出力電圧が所定の閾値以下になったときに、前記燃料供給手段を制御して、この発電モジュールへの水素の流量を通常時の発電に必要な量よりも少なくすることを特徴とするものである。
また、本発明のＳＯＦＣ発電システムの１構成例は、さらに、前記発電モジュールで発電に利用された燃料ガスを排出する燃料排出手段を備え、前記制御手段は、前記発電モジュールの出力電圧が所定の閾値以下になったときに、前記燃料供給手段と前記燃料排出手段とを制御して、この発電モジュールの燃料極と接する燃料ガス流路内に燃料ガスを密封することを特徴とするものである。
また、本発明のＳＯＦＣ発電システムの１構成例は、さらに、前記発電モジュールで発電に利用された燃料ガスを排出する燃料排出手段を備え、前記制御手段は、前記発電モジュールの出力電圧が所定の閾値以下になったときに、前記燃料供給手段と前記燃料排出手段とを制御して、この発電モジュールの燃料ガスの出口から燃料ガスの入口へ燃料ガスを循環させることを特徴とするものである。
また、本発明のＳＯＦＣ発電システムの１構成例において、前記閾値は、単セルあたり０．２Ｖである。
【００１０】
また、本発明のＳＯＦＣ発電システムの出力電圧回復方法は、固体酸化物形燃料電池（ＳＯＦＣ）セルを一枚又は複数枚用いたＳＯＦＣスタックを有する発電モジュールの出力電圧を測定する電圧測定ステップと、前記発電モジュールの出力電圧が所定の閾値以下になったときに、前記発電モジュールの出力端子を後段の負荷から切り離すと共に、前記発電モジュールの燃料極と接する燃料ガス流路に燃料ガスを満たす出力電圧回復ステップとを備えることを特徴とするものである。
【００１１】
また、本発明のＳＯＦＣ発電システムの出力電圧回復方法は、固体酸化物形燃料電池（ＳＯＦＣ）セルを一枚又は複数枚用いたＳＯＦＣスタックをそれぞれ有する複数の発電モジュールの出力電圧を発電モジュール毎に測定する電圧測定ステップと、前記複数の発電モジュールのうち少なくとも１台の発電モジュールの出力電圧が所定の閾値以下になったときに、この出力電圧が閾値以下となった発電モジュールの出力端子を後段の負荷から切り離すと共に、前記出力電圧が閾値以下となった発電モジュールの燃料極と接する燃料ガス流路に燃料ガスを満たす出力電圧回復ステップとを備えることを特徴とするものである。
【発明の効果】
【００１２】
本発明によれば、高燃料利用率・低負荷運転により発電モジュールの出力電圧が低下しても、出力電圧を回復させることができる。
【００１３】
また、本発明では、複数の発電モジュールのうち少なくとも１台の発電モジュールの出力電圧が低下しても、出力電圧を回復させることができ、出力電圧が閾値より大である発電モジュールが１台でもあれば、システム全体の発電を停止することなく、高利用率・低負荷運転により性能が低下した発電モジュールの出力電圧を回復させることができる。
【図面の簡単な説明】
【００１４】
【図１】本発明の実施の形態に係るＳＯＦＣ発電システムの構成を示すブロック図である。
【図２】単セルスタックを高燃料利用率・低負荷で運転したときと、本発明の実施の形態に係る出力電圧回復処理で回復させたときの単セルスタックの出力電圧および出力電流の経時変化を示す図である。
【図３】単セルスタックを高燃料利用率・低負荷で運転する前と本発明の実施の形態に係る出力電圧回復処理で回復させた後の電流−電圧曲線を示す図である。
【発明を実施するための形態】
【００１５】
［発明の原理］
本発明は、高利用率・低負荷運転によりセルの出力電圧がある閾値以下まで低下した場合、発電を停止し出力端子を開回路とした上で、燃料極表面を還元雰囲気にした状態で静置することでセルの機能を回復させる。
また、本発明は、発電電力や供給するガスの流量を個別に制御することが可能な２台以上のモジュールから構成されるＳＯＦＣ発電システムにおいて、各モジュールの出力電圧を随時計測し、出力電圧が一定の閾値以下になったモジュールのみの発電を中止し、出力端子を開回路とした上で、モジュール内の燃料極表面を還元雰囲気にした状態で放置することでモジュールの出力電圧を回復させる。
【００１６】
燃料極表面を還元雰囲気にする方法としては、少量の燃料ガスを流し続けるか、あるいは発電中止後に一旦燃料ガス流路に燃料ガスを流して流路中のガスを未反応の燃料ガスに置換した後に、ガス流路の出口と入口を閉鎖してガス流路に燃料ガスを充填する方法が考えられる。燃料極材料の還元に使用される燃料ガスはモジュールに導入されたガスの一部分のみであるため、少量の燃料ガスを流し続ける場合には、モジュールの出口から排出された燃料ガスをモジュールの入口に戻して循環させてもかまわない。
【００１７】
高燃料利用率・低負荷運転によりＳＯＦＣセルの出力電圧が低下する原因としては、燃料ガス中の還元性ガス分圧の低下により燃料極材料が酸化され、燃料極内に導電性が低い物質が生成されることにより、抵抗成分による電圧降下（ＩＲドロップ）が発生するためと考えられる。ＳＯＦＣセルの出力端子を開回路にした状態で燃料ガスを導入すると、還元性の高い燃料ガスが燃料ガス流路の出口近傍まで殆ど濃度が変化することなく供給されるため、発電中に酸化された燃料極材料が再び還元され、電圧降下が起こらなくなる。
【００１８】
なお、ＳＯＦＣセルの出力電圧がある閾値以下まで低下した時点で発電を停止する理由は、それ以上電圧を低下させると電解質にクラックが発生し、還元を行ってもセルの出力電圧が回復しなくなるためである。燃料極材料が酸化すると体積の膨張が発生するが、酸化範囲が限定的である間は多孔性の燃料極そのものが材料の膨張を吸収するため、固体電解質薄膜に掛かる応力はそれ程大きくならない。しかし、酸化がより広い範囲に進行すると燃料極が全体として膨張し始めるため、燃料極の上に形成された固体電解質薄膜に亀裂が発生する。したがって、燃料極材料の酸化が限定的で電解質に亀裂が発生しない範囲で発電を中止する必要がある。一方、より高い電圧で発電を中止すれば、短時間の回復処理で出力電圧が回復するが、回復処理の頻度が多くなり、作業が煩雑になる。
【００１９】
また、１台のモジュールから構成されるＳＯＦＣ発電システムでは、回復のためにモジュールの運転を停止するとシステムの発電も止まってしまう。しかし、発電電力や供給するガスの流量を個別に制御することが可能な２台以上のモジュールから構成されるＳＯＦＣ発電システムであれば、各モジュールの出力電圧を随時計測し、いずれかのモジュールの電圧が一定の閾値以下になった場合はそのモジュールのみの発電を中止し、出力端子を開回路とした上で、モジュール内の燃料極に接する燃料ガス流路に燃料ガスを存在させた状態で静置することにより、システムとしての発電を中止することなく、モジュールの出力電圧を回復させることが可能となる。
【００２０】
［実施の形態］
以下、本発明の実施の形態について図面を参照して説明する。図１は本発明の実施の形態に係るＳＯＦＣ発電システムの構成を示すブロック図である。
ＳＯＦＣ発電システムは、ＳＯＦＣセルを一枚又は複数枚用いたＳＯＦＣスタックを有する発電モジュール１と、発電モジュール１に空気を供給する空気供給マニホールド１２と、発電モジュール１に燃料ガスである水素を供給する燃料供給マニホールド１３と、発電モジュール１の出力電圧を測定する電圧測定器１４と、発電モジュール１の出力端子と後段の負荷Ｒとの間を接続または遮断する切替手段となるスイッチ１５と、燃料ガスの流量を制御する供給用バルブ１６と、制御部１７とから構成される。
【００２１】
発電モジュール１のＳＯＦＣスタックは、電解質２と、電解質２の一方の面に配置された空気極３と、電解質２の反対側の面に配置された燃料極４と、空気極３と電気的に接触する板状の空気極側セパレータ５と、燃料極４と電気的に接触する板状の燃料極側セパレータ６と、空気極側セパレータ５と燃料極側セパレータ６とを電気的に絶縁する絶縁材７とから構成される。なお、本実施の形態では、電解質２と空気極３と燃料極４とからなるＳＯＦＣセルを１枚用いるＳＯＦＣスタック、すなわち単セルスタックを例に挙げて説明するが、単セルスタックを複数枚積層したＳＯＦＣスタックを用いるようにしてもよい。
【００２２】
空気極側セパレータ５と燃料極側セパレータ６と絶縁材７には、空気を供給する空気供給経路８と、燃料ガスを供給する燃料供給経路９とが形成されている。さらに、空気極側セパレータ５には、空気供給経路８からの空気を空気極３に供給する空気供給流路１０が形成され、燃料極側セパレータ６には、燃料供給経路９からの燃料ガスを燃料極４に供給する燃料供給流路１１が形成されている。空気供給流路１０の入口は空気供給経路８と接続され、燃料供給流路１１の入口は燃料供給経路９と接続されている。燃料供給経路９と燃料供給マニホールド１３と供給用バルブ１６とは、燃料供給手段を構成している。本実施の形態では、以上のような構成の発電モジュール１を２台設置している。
【００２３】
なお、図１では、空気極側セパレータ５内に設けられる空気排出流路、燃料極側セパレータ６内に設けられる燃料排出流路、空気排出流路の出口と接続され、空気を外部に排出する空気排出経路、および燃料排出流路の出口と接続され、燃料ガスを外部に排出する燃料排出経路については記載を省略している。燃料排出経路と、この燃料排出経路に設けられた排出用バルブ（不図示）と、この燃料排出経路に設けられた接続用バルブ（不図示）とは、燃料排出手段を構成している。
【００２４】
次に、ＳＯＦＣ発電システムの通常時の動作について説明する。空気は、空気供給マニホールド１２から空気供給経路８およびＳＯＦＣセル毎に設けられた空気供給流路１０を介して各ＳＯＦＣセルの空気極３に供給される。水素は、燃料供給マニホールド１３から燃料供給経路９およびＳＯＦＣセル毎に設けられた燃料供給流路１１を介して各ＳＯＦＣセルの燃料極４に供給される。空気極側セパレータ５には空気極側出力端子１８が接続され、燃料極側セパレータ６には燃料極側出力端子１９が接続されており、この空気極側出力端子１８と燃料極側出力端子１９との間に負荷Ｒが接続されている。通常時においては、スイッチ１５が閉状態となっているので、ＳＯＦＣ発電システムで発電された電力が負荷Ｒに供給される。なお、本実施の形態では、発電モジュール１を２台使用しているため、２台の発電モジュール１が並列に接続されている。
【００２５】
発電に利用された後の空気は、ＳＯＦＣセル毎に設けられた空気排出流路を通り、空気排出経路を介して外部に排出される。発電に利用された後の水素は、ＳＯＦＣセル毎に設けられた燃料排出流路を通り、燃料排出経路を介して外部に排出される。
【００２６】
次に、高燃料利用率・低負荷運転により発電モジュール１の出力電圧が低下したときの動作について説明する。
電圧測定器１４は、発電モジュール１の出力電圧（空気極側セパレータ５と燃料極側セパレータ６間の電圧）を常時測定している。
制御部１７は、２台の発電モジュール１のうち少なくとも１台の発電モジュール１の出力電圧が一定の閾値以下になったとき、出力電圧が閾値以下となった発電モジュール１に対応するスイッチ１５を開状態として、この発電モジュール１を負荷Ｒから切り離すと共に、出力電圧が閾値以下となった発電モジュール１に対応する供給用バルブ１６を制御して、この発電モジュール１への水素の流量を通常時の発電に必要な量よりも少なくする。
【００２７】
こうして、出力電圧が閾値以下になった発電モジュール１のみ発電を中止し、出力端子を開回路とした上で、発電モジュール１内の燃料極表面を還元雰囲気にした状態で放置することで、発電モジュール１の出力電圧を回復させる。
なお、制御部１７は、出力電圧が閾値以下となった発電モジュール１については、この発電モジュール１の出口側の燃料排出経路と入口側の燃料供給マニホールド１３とを接続する接続用バルブ（不図示）を開き、この発電モジュール１の燃料排出経路から排出される水素を燃料供給マニホールド１３に戻すことにより、水素を循環させてもかまわない。
【００２８】
また、制御部１７は、発電モジュール１の出力電圧が閾値以下になったとき、この発電モジュール１に暫く水素を供給して、この発電モジュール１の燃料供給流路１１および燃料排出流路中のガスを未反応の水素に置換した後に、この発電モジュール１の出口側の燃料排出経路に設けられた排出用バルブ（不図示）と入口側の燃料供給マニホールド１３に設けられた供給用バルブ１６とを閉じることで、燃料供給流路１１および燃料排出流路に水素を充填するようにしてもよい。
【００２９】
なお、本実施の形態では、２台の発電モジュール１を用いたＳＯＦＣ発電システムを例に挙げて説明しているが、これに限るものではなく、１台の発電モジュールでＳＯＦＣ発電システムを構成してもよいことは言うまでもない。
【００３０】
図２は、直径φ＝１２０ｍｍの平板型ＳＯＦＣセルを用いた単セルスタックを高燃料利用率・低負荷（燃料利用率９５％、放電電流２５Ａ）で運転したときと、本実施の形態の出力電圧回復処理で回復させたときの単セルスタックの出力電圧Ｖおよび出力電流Ｉの経時変化を示す図である。ここでは、閾値を０．２Ｖとしている。高燃料利用率・低負荷で運転している場合、電流値一定で運転していても出力電圧Ｖが徐々に低下していく。図２の例では、４８０分付近で出力電圧Ｖが閾値０．２Ｖに達しており、この時点で発電を中止して本実施の形態の出力電圧回復処理で単セルスタックを回復させると、０．９Ｖ付近まで出力電圧Ｖが回復することが分かる。さらに、出力電圧回復を継続すると、およそ３０分間で出力電圧Ｖが１．２Ｖ付近まで上昇した。
【００３１】
図３は、直径φ＝１２０ｍｍの平板型ＳＯＦＣセルを用いた単セルスタックにおいて高燃料利用率・低負荷（燃料利用率９５％、放電電流２５Ａ）で運転する前と本実施の形態の出力電圧回復処理で回復させた後の電流−電圧曲線を示す図である。図３における３０は単セルスタックを高燃料利用率・低負荷で運転する前の電流−電圧曲線、３１は単セルスタックを本実施の形態の出力電圧回復処理で回復させた後の電流−電圧曲線である。二つの曲線に殆ど変化は無く、出力電圧Ｖが一旦０．２Ｖまで低下した単セルスタックにおいても、本実施の形態の出力電圧回復処理で回復させることにより、運転前と同様な電流−電圧特性が得られることが分かる。すなわち、図３は出力電圧Ｖが低下したセルの性能を本実施の形態の出力電圧回復処理で回復できることを示している。
【００３２】
発電を中止する閾値についての検討を行ったところ、閾値を０．２Ｖよりも低くすると、このような発電性能の確実な回復は見られなかった。表１に、本実施の形態の出力電圧回復処理により出力電圧が回復したセルの割合と、出力電圧回復処理後に電解質にクラックの発生が確認されたセルの割合を閾値毎に示す。このときの試験は閾値毎に４個のセルを用いて実施した。
【００３３】
【表１】
2013026179.tif 000003
【００３４】
発電を中止する閾値を０．２Ｖ以上とした場合は１００％出力電圧が回復しており、水素供給後にＳＯＦＣセルを観察しても電解質でのクラックの発生は確認されなかった。これに対して、閾値を０．１Ｖとした場合は４個の内１個のセルしか出力電圧が回復せず、閾値を０Ｖとした場合には出力電圧の回復が全く見られなかった。また、閾値を０Ｖとした場合、全てのセルの電解質にクラックの発生が観察された。なお、閾値０．２Ｖは単セルあたりの値なので、単セルをｎ（ｎは２以上の整数）枚積層する場合には、閾値を０．２×ｎＶとすればよい。
【００３５】
本実施の形態の制御部１７は、例えばＣＰＵ、記憶装置及びインタフェースを備えたコンピュータと、これらのハードウェア資源を制御するプログラムによって実現することができる。ＣＰＵは、記憶装置に格納されたプログラムに従って本実施の形態で説明した処理を実行する。
【産業上の利用可能性】
【００３６】
本発明は、固体酸化物形燃料電池を用いた発電システムを運転する技術に適用することができる。
【符号の説明】
【００３７】
１…発電モジュール、２…電解質、３…空気極、４…燃料極、５…空気極側セパレータ、６…燃料極側セパレータ、７…絶縁材、８…空気供給経路、９…燃料供給経路、１０…空気供給流路、１１…燃料供給流路、１２…空気供給マニホールド、１３…燃料供給マニホールド、１４…電圧測定器、１５…スイッチ、１６…供給用バルブ、１７…制御部、１８…空気極側出力端子、１９…燃料極側出力端子。
【図１】
2013026179.tif 000004
【図２】
2013026179.tif 000005
【図３】
2013026179.tif 000006